(57)【要約】      （修正有）【課題】軽量で持ち運びができ、ドレッシング、体の清潔さ、および、ユーザーにとって容易に交換可能で、排尿のために隠匿性も有する採尿バッグとスカートの組合せの提供。【解決手段】ユーザーが便利よく自身の手を伸ばしてスカート内に挿入するための少なくとも１つの開口１１を有するスカートと、バッグ開口を有し、スカートの内側に配置される採尿バッグ２と、ガイド開口と；バッグ開口にスリーブ状に接続されるガイドジョイントとを有する採尿ガイドと、を具備する。【選択図】図３
2018102918.tif 000002
【特許請求の範囲】
【請求項１】
ユーザーが自身の手を伸ばしてスカート内に挿入するための少なくとも１つの開口を有するスカートと、
バッグ開口を有し、前記スカートの内側に配置される採尿バッグと
を具備する
採尿バッグとスカートとの組み合わせ。
【請求項２】
ガイド開口と、前記バッグ開口にスリーブ状に接続されるガイドジョイントとを有する採尿ガイドを更に具備することを特徴とする
請求項１に記載の採尿バッグとスカートとの組み合わせ。
【請求項３】
前記ガイド開口の直径は、前記ガイドジョイントの直径よりも大きいことを特徴とする
請求項２に記載の採尿バッグとスカートとの組み合わせ。
【請求項４】
前記採尿ガイドは、中間部を有し、
前記中間部の直径は、前記ガイドジョイントの直径よりも小さく、前記ガイドジョイントの直径は、前記バッグ開口の直径よりも大きいことを特徴とする
請求項２に記載の採尿バッグとスカートとの組み合わせ。
【請求項５】
前記バッグ開口に少なくとも１つのシール要素が配置されることを特徴とする
請求項１に記載の採尿バッグとスカートとの組み合わせ。
【請求項６】
前記少なくとも１つのシール要素は、ジッパー、シールクリップ、または、バンドであることを特徴とする
請求項５に記載の採尿バッグとスカートとの組み合わせ。
【請求項７】
前記スカートは、前記スカートの締め付けを調整するための締め付け調整体を含むことを特徴とする
請求項１に記載の採尿バッグとスカートの組み合わせ。
【請求項８】
前記締め付け調整体は、弾性バンド、ベルクロ、ジッパー、ストラップ、または、ボタンであることを特徴とする
請求項７に記載の採尿バッグとスカートとの組み合わせ。
【請求項９】
前記採尿バッグが、洗浄および再使用可能な材料、または、使い捨て可能な材料で作られていることを特徴とする
請求項１に記載の採尿バッグとスカートとの組み合わせ。
【請求項１０】
前記スカートおよび前記採尿バッグは、キャリーバッグ内に収納可能であることを特徴とする
請求項１に記載の採尿バッグとスカートとの組み合わせ。
【発明の詳細な説明】
【技術分野】
【０００１】
本発明は、採尿バッグとスカートとの組み合わせに関する。本発明は、スカート、採尿バッグ、および、採尿ガイドを備え、ユーザーの排尿を補助し、隠匿
および容易な洗浄のために有利である。
【背景技術】
【０００２】
人は、排尿したいがトイレを見つけることができない場合、特に、長旅においてトイレを見つけることができない場合、大いに困難を受ける。このことは、公衆トイレを利用することができない遠隔地の田園地帯に滞在する場合、または、排尿にとって不便な高速道路の渋滞中に起こり、排尿を我慢する必要があるために、旅行者に不快感を与える。排尿を長時間我慢する場合、膀胱に負担がかかり、悪化すると、膀胱や尿道の炎症を引き起こし、泌尿器系疾患を引き起こす可能性がある。よって、大きな注意が必要である。
【０００３】
また、近年、高齢化や低出生率化の問題が深刻化しており、それに伴って保健医療産業が発展し、高齢者および患者への社会的コストの投入は年々増加している。メディカルケアおよびホームケアを含みケアを受ける人々、多くは、能力の低下、手足の萎縮、筋肉の衰弱、半身麻痺、認知症、障害等を有する人々にとって、長期のベッドが必要となることがある。通常、彼らは日常生活においてセルフケアができないため、他者からのアシストが必要となる。
【０００４】
患者および老齢者を含めてケアを受けている人に対して、術後の治癒や筋肉の老化に起因する不都合を考慮して、介護者は採尿バッグを提供することができ、それによって排尿の困難さが軽減され、または、トイレの外で排尿することによる清掃の問題が引き起こされることが回避される。
【０００５】
さらに、ケアを受けている人々であって、採尿バッグの使用が必要な人々にとって、歩行中に採尿バッグを保持している時、あるいは、地面に採尿バッグを置いている時、第３者に見られることで不快に感じることがある。また、採尿バッグを持ち運ぶのは不便である。このように、これらの問題は解決されなければならず、利便性と隠匿性の点でメリットがあり、加えて容易に交換できる採尿バッグ構造が開発の選択肢となる。
【０００６】
以上のことから、採尿バッグを設計するにあたっては、軽量で持ち運びができること、ドレッシング、体の清潔さ、および、ユーザーにとって容易に交換可能なことが考慮されなければならない。さらに、排尿のために隠匿性も考慮されることが重要である。このような利点を有する採尿バッグの開発は、長時間の旅行中排尿ができない人々、および、移動が困難な人々に便宜を提供するために必要である。
【発明の概要】
【発明が解決しようとする課題】
【０００７】
本発明の目的は、ユーザーが便利よく自身の手を伸ばしてスカート内に挿入するための少なくとも１つの開口を有するスカートと、バッグ開口を有し、前記スカートの内側に配置される採尿バッグとを具備する採尿バッグとスカートとの組み合わせを提供することである。
【０００８】
本発明の１つの態様では、前記組み合わせは、ガイド開口と、前記バッグ開口にスリーブ状に接続されるガイドジョイントとを有する採尿ガイドを更に具備する。
【０００９】
本発明の１つの態様では、前記ガイド開口の直径は、前記ガイドジョイントの直径よりも大きい。
【００１０】
本発明の更に別の態様では、前記採尿ガイドは、中間部を有し、前記中間部の直径は、前記ガイドジョイントの直径よりも小さく、前記ガイドジョイントの直径は、前記バッグ開口の直径よりも大きい。
【００１１】
本発明の更に別の態様では、前記バッグ開口に少なくとも１つのシール要素が配置される。
【００１２】
本発明の更に別の態様では、前記少なくとも１つのシール要素は、ジッパー、シールクリップ、または、バンドに関する。
【００１３】
本発明の更に別の態様では、前記スカートは、締め付け調整体を含み、前記締め付け調整体は、前記スカートの締め付けを調整するように機能する。
【００１４】
本発明の更に別の態様において、前記締め付け調整体は、弾性バンド、ベルクロ（登録商標）、ジッパー、ストラップ、または、ボタンに関連していてもよい。
【００１５】
本発明の更に別の態様では、前記スカートの前記少なくとも１つの開口は、前記スカートの前部または前記スカートの少なくとも１つの側部に設けられる。
【００１６】
本発明の更に別の態様では、前記採尿バッグが、洗浄および再使用可能な材料、または、使い捨て可能な材料で作られる。
【００１７】
本発明の更に別の態様では、前記スカートおよび前記採尿バッグは、キャリーバッグ内に収納可能である。
【００１８】
本発明の他の目的、利点および新規な特徴は、添付の図面を参照して、以下の詳細な説明からより明らかになるであろう。
【図面の簡単な説明】
【００１９】
【図１】図１は、本発明の第１例に係るスカートを示す模式図である。
【図２】図２は、本発明の第１例に係るスカートを示す別の模式図である。
【図３】図３は、本発明の第１例に係る採尿バッグとスカートとの組み合わせの使用状態を示す模式図である。
【図４】図４は、本発明の第１例に係る採尿バッグを示す模式図である。
【図５】図５は、本発明に係る採尿バッグとスカートとの組み合わせを内部に収納したキャリーバッグを示す模式図である。
【図６】図６は、本発明の第２例に係る採尿バッグおよび採尿ガイドを示す模式図である。
【図７】図７は、本発明の第２例に係る採尿バッグおよび採尿ガイドを示す他の模式図である。
【図８】図８は、本発明の第２例に係る採尿バッグとスカートとの組み合わせの使用状態を示す模式図である。
【図９】図９は、本発明の第２例に係る採尿バッグとスカートとの組み合わせのうちの採尿バッグが使用後に密封された状態を示す模式図である。
【発明を実施するための形態】
【００２０】
本発明による特定の特徴を含む革新的な技術的特徴はクレーム中で開示され、技術的特徴は、本発明の好ましい理解および実行原理の下、明細書および図面を伴って以下のように詳細に記述される。
【００２１】
他に定義されていない限り、明細書および特許請求の範囲に記載される技術および科学に関する用語はすべて、当業者によって知られている定義に従う。「ａ」、「ｏｎｅ」、「ｔｈｅ」またはそれらを概ね示す用語などの単数形の用語は、他に示されている場合を除き、すべて１つ以上の対象を指す。さらに、「または」、「もまた」、「および」という用語は、他に示されている場合を除き、すべて「および／または」を意味する。また、「備える」および「含む」という用語は、いずれも限定されないオープンタイプの接続詞を指す。これらの定義の説明は、本発明の主題を限定するものではなく、単に用語の定義を指す。また、特に明記しない限り、本発明で言及される材料は市場で入手可能である。
【００２２】
第１例
本発明は、スカート１と少なくとも１つの採尿バッグ２とを含む採尿バッグとスカートとの組み合わせを提供する。
【００２３】
本発明によれば、スカートは、長いスカート、短いスカート、細いスカート、またはエプロンを指し、スカートのパターンおよび長さは、本発明において言及される技術的特徴ではない。
【００２４】
本発明によれば、採尿バッグは折り畳み可能であり、スカート１の内側に配置される。
【００２５】
図１および図２を参照して、本発明によれば、スカート１は、ウエストバンド１２および締め付け調整体１３とを含み、当該締め付け調整体１３は、ウエストバンド１２上に配置され、ウエストバンド１２は、環状構造として形成可能であり、スカート１の締め付けを調整するように機能し、スカート１の着脱を容易にする。締め付け調整体１３は、限定されるものではないが、弾性バンド、ベルクロ、ジッパー、ボタン、または、ストラップに関連していてもよい。
【００２６】
さらに図３を参照して、本実施形態によれば、スカート１は、少なくとも１つの開口１１、好ましくは２つの開口１１を含む。ユーザーはスカート１を着用している時、開口１１を介して自身の手をスカート１内に入れ、その後採尿バッグ２を手で保持する。
【００２７】
好ましくは、開口１１は、スカート１の前部、または、スカート１の両側部に設けられる。いわゆる「前部」は、ユーザーの腹部から下方に延びる場所を指し、「両側部」は、ユーザーが立って両手を下方に下げた時のユーザーの両側部を指す。好ましくは、開口１１は、インナーバッグ１４に接続されており、インナーバッグ１４は、開口１１からスカート１の内側に延びる袋状構造体である。インナーバッグ１４と通常のポケットとの間の相違点は、インナーバッグ１４は、他の開口を有しており、当該他の開口は、本発明のユーザーがインナーバッグ１４を介してスカート内に手を伸ばし、採尿バッグ２を手で保持し、排尿することを許容する点である。図３に示されるように、本発明は、便利な操作と排尿の隠匿という両方の利点を有する。
【００２８】
さらに、本発明の別の実施形態では、スカート１は、スカート１の内側に配置された少なくとも１つの固定ユニット（図示せず）を選択的に備え、当該ユニットが採尿バッグ２を掛けるためまたは配置するために使用される。当該スカート１の内側は、スカート１を着用しているときに、ユーザーの身体に面する側を指す。好ましくは、固定ユニットは、フックまたはクランプを含むが、これらに限定されない。
【００２９】
さらに図４を参照して、採尿バッグ２は、尿の収容を容易にするように弾性を有する柔らかい材料で作られている。採尿バッグ２は、バッグ開口２１および袋体２０を含む。ユーザーが採尿バッグ２を使用するとき、尿はバッグ開口２１内に排出され、袋体２０内に保持される。バッグ開口２１は、人間工学的なアーク状の開口のような形状を有していてもよく、さらに、尿漏れを防止するためにバッグ開口２１を封止または固定するためのシール要素２２が設けられる。シール要素２２は、袋体２０上に配置されていてもよいし、代替的に、袋体２０上に配置されていない独立した要素であってもよい。シール要素２２は、ジッパー、シールクリップ、または、バンドであってもよいが、これらに限定されない。これらは、シール機能を有する他の要素によって置換されてもよい（図４には、シールクリップが図示され、図６にはジッパーが図示されている）。好ましくは、シール要素は、１つまたは２つのジッパー（図６）に関する。好ましくは、シール要素２２は、スカートの固定ユニットに取り付けるために使用される吊り輪を含んでいてもよく、当該吊り輪によって、採尿バッグ２がスカート１に固定される。
【００３０】
また、本発明によれば、スカートと採尿バッグとの組み合わせは、キャリーバッグ内にスカート１および採尿バッグ２を受容することにより、キャリーバッグ４内に収納可能であり、収納したり持ち運んだりすることができる（図５を参照）。
【００３１】
さらに、本発明による採尿バッグとスカートとの組み合わせの材料は、ポリエステル繊維またはレーヨンで作ることができるが、これらに限定されない。
【００３２】
第２例
本発明は、スカート１と、採尿バッグ２と、採尿ガイド３とを含む採尿バッグとスカートとの組み合わせを提供する。本例は、第１例と同様であり、第１例の特徴は、他に定義されない限り、第２例に適用可能である。
【００３３】
図１を参照して、本発明によれば、スカート１は、ウエストバンド１２および締め付け調整体１３とを含み、当該締め付け調整体１３は、ウエストバンド１２上に配置され、ウエストバンド１２は、環状構造として形成可能であり、スカート１の締め付けを調整するように機能し、スカート１の着脱を容易にする。締め付け調整体１３は、限定されるものではないが、弾性バンド、ベルクロ、ジッパー、ボタン、または、ストラップに関連していてもよい。
【００３４】
さらに、本実施形態によれば、スカート１は、少なくとも１つの開口１１、好ましくは２つの開口１１を含む。好ましくは、開口１１は、スカート１の前部、または、スカート１の両側部に設けられる。いわゆる「前部」は、ユーザーの腹部から下方に延びる場所を指し、「両側部」は、ユーザーが立って両手を下方に下げた時のユーザーの両側部を指す。ユーザーはスカート１を着用している時、開口１１を介して自身の手をスカート１内に伸ばし、その後採尿バッグ２を手で保持する。
【００３５】
図６を参照して、採尿バッグ２は、尿の収容を容易にするように弾性を有する柔らかい材料で作られている。採尿バッグ２は、バッグ開口２１および袋体２０を含む。ユーザーが採尿バッグ２を使用するとき、尿はバッグ開口２１内に排出され、袋体２０内に保持される。バッグ開口２１は、人間工学的なアーク状の開口のような形状を有していてもよく、さらに、尿漏れを防止するためにバッグ開口２１を封止または固定するためのシール要素２２が設けられる。シール要素２２は、袋体２０上に配置されていてもよいし、代替的に、袋体２０上に配置されていない独立した要素であってもよい。シール要素２２は、ジッパー、シールクリップ、または、バンドであってもよいが、これらに限定されない。これらは、シール機能を有する他の要素によって置換されてもよい（図６にはジッパーが図示されている）。好ましくは、シール要素は、１つまたは２つのジッパーに関する。加えて、図６に示されるように、袋体２０を製造するに際して、袋体２０を補強および強化するために、袋体には、ホットプレスにより袋体縁が形成されてもよい。この場合、袋体は、ホットプレスの袋体縁を備える。
【００３６】
本実施形態によれば、採尿ガイド３が、尿を採尿バッグ２内に誘導するために提供される。採尿ガイド３は、ガイド開口３１およびガイドジョイント３２を含む。ガイドジョイント３２は、採尿バッグ２のバッグ開口２１にスリーブ状に接続される。好ましくは、採尿ガイド３は、漏斗状の形状を有し、ガイド開口３１の直径は、ガイドジョイント３２の直径よりも大きい。さらに、好ましくは、採尿ガイド３において、ガイド開口３１での厚さは、ガイドジョイント３２での厚さよりも大きい。
【００３７】
別の実施形態では、図７示されるように、採尿ガイド３は、漏斗状の形状を有し、中間部３３を有する。中間部３３の直径は、ガイドジョイント３２の直径よりも小さい、他方、ガイドジョイント３２の直径は、採尿バッグ２のバッグ開口２１の直径よりも大きい。採尿バッグ２が弾性材料により形成されているという事実に照らせば、ガイドジョイント３２がバッグ開口２１にスリーブ状に接続され、かつ、バッグ開口２１が中間部３３に位置している時、採尿バッグ２が容易に脱落しない。さらに、別の実施形態では、採尿バッグ２の袋体２０は、容易に引き裂いて開放できる引き裂き開口２４を更に含んでいてもよく、排尿後、ユーザーは引き裂き開口２４から採尿バッグ２を開き、尿を排出することができる。
【００３８】
本実施形態によれば、採尿バッグとスカートとの組み合わせは、スカート１と、採尿バッグ２と、採尿ガイド３とを備える。ユーザーは、スカート１を隠匿具として着用し、開口１１を介して、スカート１内に手を伸ばし、そこで、ユーザーは、採尿バッグ２および採尿ガイド３を手で保持して、採尿ガイド３のガイドジョイント３２を採尿バッグ２のバッグ開口２１にスリーブ状に接続し、排尿する（図８を参照）。その後、ユーザーは、バッグ開口２１において採尿バッグ２を保持し、採尿ガイド３を採尿バッグ２から分離した後、採尿バッグ２のバッグ開口２１をシール要素２２（例えば、二重ジッパー）で密封する。採尿バッグ２は、使い捨てまたは再使用可能とすることができる（図９を参照）。したがって、本実施形態に係る採尿バッグとスカートとの組み合わせは、便利な操作と排尿の隠匿という両方の利点を有することが理解される。
【００３９】
本発明は、その好ましい実施形態に関連して説明されたが、上述の実施形態は、限定ではなく例示のために提案されたものであること、および、本発明は、本発明の特徴に沿った他の様々な修正および変形を通して当業者により実施可能であることが理解されるべきである。以下に請求される本発明の範囲は、先に説明された方法および構造、およびそれと同等のものを包含する。
【図１】
2018102918.tif 000003
【図２】
2018102918.tif 000004
【図３】
2018102918.tif 000005
【図４】
2018102918.tif 000006
【図５】
2018102918.tif 000007
【図６】
2018102918.tif 000008
【図７】
2018102918.tif 000009
【図８】
2018102918.tif 000010
【図９】
2018102918.tif 000011